(57)【特許請求の範囲】
【請求項１】
割当制御情報に対する上り通信を、上りに固定された１つ以上の通信サブフレームで行うか否かを指示すると共に、下り通信サブフレームに切り替え可能な上り通信サブフレームで、上り通信を行うか下り通信を行うかを指示するＵＬ／ＤＬ通信サブフレーム切り替え情報を生成する制御手段と、
生成された前記ＵＬ／ＤＬ通信サブフレーム切り替え情報を端末装置に送信する送信手段と、
を具備する基地局装置。
【請求項２】
前記端末装置において受信した下り回線データまたは下り制御情報に対応する、前記下り回線データに対する誤り検出結果または上り回線データを送信する上り通信サブフレームは、前記下り回線データまたは前記下り制御情報を送信した下り通信サブフレームの４サブフレーム以上後であり、かつ、最も早いタイミングにおける上りに固定された通信サブフレームである、請求項１に記載の基地局装置。
【請求項３】
前記下り通信サブフレームに切り替え可能な上り通信サブフレームは、ＳＩＢで通知されるUL-DL Configurationと、他のUL-DL Configurationである切り替え可能サブフレーム通知フォーマットとの組み合わせによって通知され、
前記切り替え可能サブフレーム通知フォーマットは、前記下り通信サブフレームに切り替え可能な上り通信サブフレームのタイミングがＳＩＢで通知されるUL-DL Configurationにより規定される上り通信サブフレームのタイミングのサブセットである、
請求項１に記載の基地局装置。
【請求項４】
前記端末装置において受信した下り回線データまたは下り制御情報に対応する、前記下り回線データに対する誤り検出結果または上り回線データを送信する上り通信サブフレームは、前記下り回線データまたは前記下り制御情報を送信した下り通信サブフレームの４サブフレーム以上後であり、かつ、最も早いタイミングにおけるスペシャルサブフレームの１サブフレーム後の上り通信サブフレームである、請求項１に記載の基地局装置。
【請求項５】
割当制御情報に対する上り通信を、上りに固定された１つ以上の通信サブフレームで行うか否かを指示すると共に、下り通信サブフレームに切り替え可能な上り通信サブフレームで、上り通信を行うか下り通信を行うかを指示するＵＬ／ＤＬ通信サブフレーム切り替え情報を受信する受信手段と、
受信された前記ＵＬ／ＤＬ通信サブフレーム切り替え情報の指示に従って、マッピングを行うマッピング手段と、
マッピングされた信号を基地局装置に送信する送信手段と、
を具備する端末装置。
【請求項６】
前記ＵＬ／ＤＬ通信サブフレーム切り替え情報を受信しない場合であって、前記下り通信サブフレームに切り替え可能な上り通信サブフレームにおいて、上り通信の送信周期または送信データがある場合には、前記下り通信サブフレームに切り替え可能な上り通信サブフレームで送信を行い、上り通信の送信周期または送信データがない場合には、前記下り通信サブフレームに切り替え可能な上り通信サブフレームで受信を行う、請求項５に記載の端末装置。
【請求項７】
割当制御情報に対する上り通信を、上りに固定された１つ以上の通信サブフレームで行うか否かを指示すると共に、下り通信サブフレームに切り替え可能な上り通信サブフレームで、上り通信を行うか下り通信を行うかを指示するＵＬ／ＤＬ通信サブフレーム切り替え情報を基地局装置が生成する制御工程と、
生成された前記ＵＬ／ＤＬ通信サブフレーム切り替え情報を前記基地局装置から端末装置に送信する送信工程と、
を具備する送信方法。
【請求項８】
割当制御情報に対する上り通信を、上りに固定された１つ以上の通信サブフレームで行うか否かを指示すると共に、下り通信サブフレームに切り替え可能な上り通信サブフレームで、上り通信を行うか下り通信を行うかを指示するＵＬ／ＤＬ通信サブフレーム切り替え情報を基地局装置から端末装置が受信する受信工程と、
受信された前記ＵＬ／ＤＬ通信サブフレーム切り替え情報の指示に従って、送信信号をマッピングするマッピング工程と、
マッピングされた前記送信信号を前記端末装置から基地局装置に送信する送信工程と、
を具備する受信方法。
【発明の詳細な説明】
【技術分野】
【０００１】
本発明は、フレームフォーマットを切り替える端末装置、基地局装置、送信方法および受信方法に関する。
【背景技術】
【０００２】
３ＧＰＰ−ＬＴＥ（3rd Generation Partnership Project Radio Access Network Long Term Evolution、以下、「ＬＴＥ」という)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。【０００３】
ＬＴＥでは、無線通信基地局装置（以下、「基地局」と省略する）は、システム帯域内のリソースブロック（Resource Block：ＲＢ）を、サブフレームと呼ばれる時間単位毎に無線通信端末装置（以下、「端末」と省略する）に割り当てることにより通信を行う。また、基地局は、下り回線データおよび上り回線データのリソース割当結果を通知するための割当制御情報（Ｌ１／Ｌ２制御情報）を端末へ送信する。この割当制御情報は、例えば、ＰＤＣＣＨ（Physical Downlink Control Channel）等の下り回線制御チャネルを用いて端末へ送信される。【０００４】
ここで、ＰＤＣＣＨをマッピングするリソース領域は規定されており、図１に示すように、周波数軸方向では、システム帯域幅全体にわたり、時間軸方向では、１サブフレームの先頭１ＯＦＤＭシンボルから３ＯＦＤＭシンボルまでの間で可変である。ＰＤＣＣＨが時間軸方向にどのＯＦＤＭシンボルまで占めるかを示す信号が、ＰＣＦＩＣＨ（Physical Control Format Indicator Channel）によって基地局から端末に通知される。【０００５】
また、各ＰＤＣＣＨは、１つまたは連続する複数のＣＣＥ（Control Channel Element）で構成されるリソースを占有する。ＰＤＣＣＨでは、１個のＣＣＥが３６個のＲＥ（Resource Element）で構成される。ＬＴＥでは、ＰＤＣＣＨが占有するＣＣＥ数（ＣＣＥ連結数：CCE aggregation levelまたはAggregation level）としては、割当制御情報の情報ビット数または端末の伝搬路状態に応じて、１，２，４，８の中の１つが選択される。なお、ＬＴＥでは、システム帯域幅として最大２０ＭＨｚの幅を持つ周波数帯域がサポートされる。【０００６】
また、基地局から送信される割当制御情報はＤＣＩ（Downlink Control Information）と呼ばれる。基地局は、１サブフレームに複数の端末を割り当てる場合、複数のＤＣＩを同時に送信する。このとき、基地局は、各ＤＣＩの送信先の端末を識別するために、送信先の端末ＩＤでマスキング（または、スクランブリング）したＣＲＣビットをＤＣＩに含めて送信する。そして、端末は、自端末宛ての可能性がある複数のＤＣＩにおいて、自端末の端末ＩＤでＣＲＣビットをデマスキング（または、デスクランブリング）することにより、ＰＤＣＣＨをブラインド復号（ブラインドデコーディング、Blind decoding）して自端末宛のＤＣＩを検出する。【０００７】
また、ＤＣＩには、基地局が端末に対して割り当てた、ＰＤＳＣＨ（Physical Downlink Shared Channel）リソースおよびＰＵＳＣＨ（Physical Uplink Shared Channel）リソースの情報（リソース割当情報（例えば、割当リソースブロック数））およびＭＣＳ（Modulation and channel Coding Scheme）（例えば、変調多値数や、割当リソースブロック数に対するトランスポートブロックサイズを示す情報など）等が含まれる。また、ＤＣＩには、上り回線用、下り回線ＭＩＭＯ（Multiple Input Multiple Output）送信用、下り回線非連続帯域割当用等の複数のフォーマットがある。端末は、複数のフォーマットを有する、下り割当制御情報（下り回線に関する割当制御情報：DL assignment）および上り割当制御情報（上り回線に関する割当制御情報：UL grant）の両方を受信する必要がある。【０００８】
例えば、下り割当制御情報においては、基地局の送信アンテナ制御方法およびリソース割当方法等により、複数のサイズのフォーマットが定義されている。その複数のフォーマットのうち、連続帯域割当を行う下り割当制御情報フォーマット（以下、単に「下り割当制御情報」という）と、連続帯域割当を行う上り割当制御情報フォーマット（以下、単に「上り割当制御情報」という）とは同一サイズを有する。これらのフォーマット（ＤＣＩフォーマット）には、割当制御情報の種別（下り割当制御情報または上り割当制御情報）を示す種別情報（例えば、１ビットのフラグ）が含まれる。よって、端末は、下り割当制御情報を示すＤＣＩのサイズと、上り割当制御情報を示すＤＣＩのサイズとが同一であっても、割当制御情報に含まれる種別情報を確認することにより、下り割当制御情報または上り割当制御情報のいずれであるかを特定することができる。【０００９】
なお、連続帯域割当を行う上り割当制御情報が送信される際のＤＣＩフォーマットは、ＤＣＩ  ｆｏｒｍａｔ０（以下、「ＤＣＩ  ０」という）と呼ばれ、連続帯域割当を行う下り割当制御情報が送信される際のＤＣＩフォーマットは、ＤＣＩ  ｆｏｒｍａｔ１Ａ（以下、「ＤＣＩ  １Ａ」という）と呼ばれる。なお、上述したようにＤＣＩ  ０およびＤＣＩ  １Ａは、同一サイズであり種別情報によって区別できるので、以下の説明では、ＤＣＩ  ０およびＤＣＩ  １Ａを「ＤＣＩ  ０／１Ａ」とまとめて表記する。【００１０】
また、上記ＤＣＩフォーマット以外にも、下り回線において、非連続帯域割当を行うＤＣＩ  ｆｏｒｍａｔ１（以下、「ＤＣＩ  １」という）および空間多重ＭＩＭＯ送信を割り当てるＤＣＩ  ｆｏｒｍａｔ２および２Ａ（以下、それぞれ「ＤＣＩ  ２」、「ＤＣＩ  ２Ａ」という）等がある。【００１１】
ここで、ＤＣＩ  １，２，２Ａは、端末の下り送信モード（非連続帯域割当または空間多重ＭＩＭＯ送信）に依存して使用されるフォーマットであり、端末毎に設定されるフォーマットである。一方、ＤＣＩ  ０／１Ａは、送信モードに依存せず、いずれの送信モードの端末に対しても使用できるフォーマット、つまり、全端末に対して共通に使用されるフォーマットである。また、ＤＣＩ  ０／１Ａが用いられた場合には、デフォルトの送信モードとして１アンテナ送信または送信ダイバーシチが用いられる。【００１２】
また、ＬＴＥに対する後方互換性を有しつつ、ＬＴＥよりも更なる通信の高速化を実現する３ＧＰＰ  ＬＴＥ−Ａｄｖａｎｃｅｄ（以下、「ＬＴＥ−Ａ」という）の標準化が開始されている。ＬＴＥ−Ａでは、最大１Ｇｂｐｓ以上の下り伝送速度および最大５００Ｍｂｐｓ以上の上り伝送速度を実現するために、４０ＭＨｚ以上の広帯域周波数で通信可能な基地局および任意のＬＴＥ−Ａシステム対応の端末（以下、「ＬＴＥ−Ａ端末」という）が導入される見込みである。また、ＬＴＥ−Ａシステムは、ＬＴＥ−Ａ端末のみでなく、ＬＴＥシステムに対応する端末（以下、「ＬＴＥ端末」という）を収容することが要求されている。【００１３】
ＬＴＥ−Ａシステムにおいては、ＬＴＥシステムにおける伝送速度の数倍もの超高速伝送速度による通信、および、ＬＴＥシステムに対する後方互換性（バックワードコンパチビリティー：Backward Compatibility）を同時に実現するために、ＬＴＥ−Ａシステム向けの帯域が、ＬＴＥシステムのサポート帯域幅である２０ＭＨｚ以下の「単位バンド」に区切られる。すなわち、「単位バンド」は、ここでは、最大２０ＭＨｚの幅を持つ帯域であって、通信帯域の基本単位として定義される。【００１４】
ＦＤＤ（Frequency Division Duplex）システムでは、さらに、下り回線における「単位バンド」（以下、「下り単位バンド」という）は、基地局から報知されるＢＣＨの中の下り周波数帯域情報によって区切られた帯域、または、下り制御チャネル（ＰＤＣＣＨ）が周波数領域に分散配置される場合の分散幅によって定義される帯域として定義されることもある。また、上り回線における「単位バンド」（以下、「上り単位バンド」という）は、基地局から報知されるＢＣＨの中の上り周波数帯域情報によって区切られた帯域、または、中心付近にＰＵＳＣＨ（Physical Uplink Shared Channel）領域を含み、両端部にＬＴＥ向けのＰＵＣＣＨを含む２０ＭＨｚ以下の通信帯域の基本単位として定義されることもある。なお、「単位バンド」は、３ＧＰＰ ＬＴＥ−Ａｄｖａｎｃｅｄにおいて、英語でComponent Carrier(s)またはＣｅｌｌと表記されることがある。また、略称としてＣＣ（ｓ）と表記されることもある。【００１５】
ＬＴＥ−Ａシステムでは、その単位バンドを幾つか束ねた帯域を用いた通信、所謂キャリアアグリゲーション（Carrier aggregation）がサポートされる。一般的に、上り通信に対するスループット要求と下り通信に対するスループット要求とは異なるので、ＬＴＥ−Ａシステムでは、ＬＴＥ−Ａ端末に対して設定される上り単位バンドの数と下り単位バンドの数が異なるキャリアアグリゲーション、所謂非対称キャリアアグリゲーション（Asymmetric Carrier aggregation）も検討されている。さらに、ＬＴＥ−Ａシステムでは、上り単位バンドの数と下り単位バンドの数が非対称であり、且つ、各単位バンドの周波数帯域幅がそれぞれ異なる場合も、サポートされる。【００１６】
ところで、ＴＤＤ（Time Division Duplex）システムでは、下り単位バンドと上り単位バンドとが同一周波数帯域であり、時分割で下り回線と上り回線とを切り替えることによって、下り通信と上り通信とを実現する。そのため、ＴＤＤシステムの場合、下り単位バンドは、「単位バンドにおける下り通信タイミング」とも表現できる。上り単位バンドは、「単位バンドにおける上り通信タイミング」とも表現できる。【００１７】
下り単位バンドと上り単位バンドとの切り替えは、図２に示すように、UL-DL Configurationと呼ばれるフレームフォーマットに基づく。UL-DL Configurationは、端末が基地局と通信を開始する時に、ＳＩＢ（System Information Block）と呼ばれる報知信号によって端末に通知される。図２に示すUL-DL Configurationでは、１フレーム（１０ｍｓｅｃ）当たりの下り通信（ＤＬ：Downlink）と上り通信（ＵＬ：Uplink）とのサブフレーム単位（つまり、１ｍｓｅｃ単位）のタイミングが設定される。UL-DL Configurationは、下り通信サブフレームと上り通信サブフレームとの割合を変更することにより、下り通信に対するスループットおよび上り通信に対するスループットの要求に柔軟に対応できる通信システムを構築することができる。例えば、図２は、下り通信サブフレームと上り通信サブフレームとの割合が異なるUL-DL Configuration（Config 0〜6）を示す。図２において、下り通信サブフレーム（またはＤＬサブフレーム）を「Ｄ」で表し、上り通信サブフレーム（またはＵＬサブフレーム）を「Ｕ」で表し、スペシャルサブフレームを「Ｓ」で表す。ここで、スペシャルサブフレームは、下り通信サブフレームから上り通信サブフレームへ切り替える時のサブフレームである。また、スペシャルサブフレームでは、下り通信サブフレームと同様、下り回線データ通信が行われる場合がある。なお、図２に示す各UL-DL Configurationでは、２フレーム分（つまり、２０サブフレーム分）を、２段に分けて表している。各UL-DL Configurationの上段において、ハッチングした上段の「Ｄ」および「Ｓ」は下り通信に用いられるサブフレームを示し、各UL-DL Configurationの下段において、ハッチングした下段の「Ｕ」は上り通信に用いられるサブフレームを示す。【００１８】
また、図２において、下り通信サブフレームまたはスペシャルサブフレームと、上り通信サブフレームとを結ぶ実線は、端末に下り回線データを通知する下り通信サブフレームまたはスペシャルサブフレームと上述の下り回線データに対する誤り検出結果（例えば、ＡＣＫ／ＮＡＣＫ）を基地局に通知する上り通信サブフレームとをつないだものである。例えば、図２のConfig 0において、#0の下り通信サブフレームで端末に下り回線データを通知した場合、その下り回線データに対する誤り検出結果は#4の上り通信サブフレームにて基地局に通知される。下り回線データに対する誤り検出結果は、当該下り回線データが割り当てられた下り通信サブフレームの４サブフレーム以上後の上り通信サブフレームで通知される。【００１９】
さらに、図２において、下り通信サブフレームまたはスペシャルサブフレームと、上り通信サブフレームとを結ぶ破線は、端末が上り通信サブフレームで通知する上り回線データに対する上り割当制御情報（UL grant）が、どの下り通信サブフレームまたはスペシャルサブフレームで通知されるかを示したものである。１つの上り通信サブフレーム対して、必ず１つの下り通信サブフレームが存在し、上り回線データの割当を指示する上り割当制御情報は、上り回線データが割り当てられた上り通信サブフレームの４サブフレーム以上前、かつ、最も近いサブフレーム差となる下り通信サブフレームで通知される。【００２０】
なお、Config 0においては、上り回線データに対応する、当該上り回線データの割当を指示する上り割当制御情報は、サブフレーム＃２、＃４、＃７、＃９での上り回線データ送信に対して、それぞれ、６、４、６、４サブフレーム前の下り通信サブフレームで通知されるように対応付けられている。または、上り回線データの割当を指示する上り割当制御情報に含まれる２ビットの上り通信インデックス（UL index）に基づいて、サブフレーム＃２、＃３、＃７、＃８での上り回線データ送信に対して、それぞれ７サブフレーム前の下り通信サブフレームで通知されるように対応付けを切り替えることも可能である。また、両者の切り替えだけでなく、サブフレーム＃２、＃４、＃７、＃９での上り回線データ送信に対して、それぞれ、６、４、６、４サブフレーム前の下り通信サブフレームで通知されるように対応付けを行い、それと同時に、サブフレーム＃２、＃３、＃７、＃８での上り回線データ送信に対して、それぞれ７サブフレーム前の下り通信サブフレームで通知されるように対応付けることも可能である。【００２１】
図２に示したように、UL-DL Configurationでは、上り通信サブフレームと下り通信サブフレーム（スペシャルサブフレームを含む）の割合を、３：２から１：９まで選択することが可能である。しかし、UL-DL Configurationはセル内の全ての端末間で共通の設定であり、他システムへの干渉あるいは他システムからの変動を考慮して、実運用では一般的に切り替えを行わない。また、実運用における上り通信サブフレームと下り通信サブフレームの割合は、上り通信も下り通信も満遍なく行えるよう、３：２（Config 0）、２：３（Config 1）、１：１（Config 6）などが用いられる。Config 2やConfig 5のような、１：４や１：９などの下り通信に特化したUL-DL Configurationを設定するのは一般的ではない。【００２２】
ＬＴＥ−Ａシステムにおいては、図３（ａ）に示すように、マクロ基地局がカバーする大きなセル（マクロセル）と、ピコ基地局またはフェムト基地局がカバーする小さなセル（ピコセルまたはフェムトセル）からなるヘテロジーニアスネットワークが構成される。マクロ基地局には多数の端末が接続し、ピコ基地局またはフェムト基地局には少数の端末が接続する。マクロ基地局では、上り通信トラフィックと下り通信トラフィックとの割合は、多数の端末間で平滑化されるため、短時間における上り通信トラフィックと下り通信トラフィックとの割合の変動が小さい。すなわち、マクロ基地局に接続する端末数が多いため、ある期間において、上り通信を行う端末もあれば、下り通信を行う端末もあり、上り通信のトラフィックと下り通信のトラフィックとの割合が、上り通信または下り通信のどちらか一方に大きく偏る可能性が低い。一方、ピコ基地局またはフェムト基地局では、少数の端末しか接続しないため、上り通信トラフィックと下り通信トラフィックとの割合が、上り通信または下り通信のどちらか一方に大きく偏る可能性が高くなる。【００２３】
そこで、ＬＴＥ−Ａシステムでは、図３（ｂ）に示すように、上り通信トラフィックと下り通信トラフィックとの割合の変動に合わせて、UL-DL Configurationを時間的に切り替えることが検討されている。【００２４】
切り替え方法としては、（１）ＳＩＢによってUL-DL Configuration設定を変更する方法、（２）ＲＲＣシグナリングでＳＩＢによる設定とは異なるUL-DL Configurationを通知する方法、（３）サブフレーム単位で動的に上り通信サブフレームと下り通信サブフレームを切り替える方法、などが挙げられる。一般的に、（１）が最も切り替えに時間を要する。これに対して、（３）はサブフレーム単位での切り替えであり、最も遅延量の少ない切り替えが可能である。上り通信トラフィックと下り通信トラフィックとの割合の変動に対してより速く対処するためには、（３）サブフレーム単位で動的に切り替えるのが有効である。【００２５】
非特許文献４を参考に、上り通信トラフィックと下り通信トラフィックとの割合の変動に合わせてUL-DL Configurationを動的に切り替える例を図４（ａ）および図４（ｂ）に示す。ここでは、Config 1が設定されたセルにおいて、サブフレーム＃８の上り通信サブフレームを下り通信サブフレームに切り替える例を示す。サブフレーム＃８の上り通信サブフレームで上り通信に対応した、下り通信サブフレーム（サブフレーム＃４）における当該端末宛てのＤＣＩがある場合（図４（ａ））、対応するサブフレーム＃８の上り通信サブフレームにおいて、端末は上り通信を行う。【００２６】
一方、サブフレーム＃８の上り通信サブフレームで上り通信に対応した、下り通信サブフレーム（サブフレーム＃４）における当該端末宛てのＤＣＩがない場合（図４（ｂ））、対応するサブフレーム＃８の上り通信サブフレームにおいて、端末は上り通信を行わない。全ての端末が上り通信を行っていなければ、基地局が、ある端末に対して下り通信を行ったとしても、当該端末は、他の端末からの上り通信による干渉を受けずに、下り通信を行うことができる。したがって、上り通信がスケジューリングされていない上り通信サブフレームにおいて、端末は下り通信サブフレームであると仮定して、ＰＤＣＣＨのブラインド復号を行う。これにより、基地局は、端末に対して明示的な情報を与えることなく、上り通信サブフレームを下り通信サブフレームとして用いることができる。
【先行技術文献】
【非特許文献】
【００２７】
【非特許文献１】3GPP TS 36.211 V10.1.0, “Physical Channels and Modulation (Release 9),”March 2011
【非特許文献２】3GPP TS 36.212 V10.1.0, “Multiplexing and channel coding (Release 9),” March 2011
【非特許文献３】3GPP TS 36.213 V10.1.0, “Physical layer procedures (Release 9),” March 2011
【非特許文献４】3GPP R1-113452，“Discussion on support of different TDD UL-DL configurations on different bands,”October 2011
【発明の概要】
【発明が解決しようとする課題】
【００２８】
図４（ｂ）において、サブフレーム＃８の上り通信サブフレームを下り通信サブフレームとして用いる場合、図５（ａ）に示すＲｅｌ−１０端末および図５（ｂ）に示すＲｅｌ−１１端末など、どの端末においても、サブフレーム＃４の下り通信サブフレームでは、対応する上り通信を伴う下り通信を行うことができない。したがって、サブフレーム＃８の上り通信サブフレームを下り通信サブフレームとして用いることができても、結局、サブフレーム＃４の下り通信サブフレームを有効に利用することができなくなる。【００２９】
本発明の目的は、ＳＩＢにより設定されたUL-DL Configurationとは異なるフレームフォーマットへの動的な切り替え、特に、上り通信サブフレームから下り通信サブフレームへの切り替えを可能としつつ、下り通信サブフレームを有効に活用することを可能とする端末装置、基地局装置、送信方法および受信方法を提供することである。
【課題を解決するための手段】
【００３０】
本発明の一態様に係る基地局装置は、割当制御情報に対する上り通信を、上りに固定された１つ以上の通信サブフレームで行うか否かを指示すると共に、下り通信サブフレームに切り替え可能な上り通信サブフレームで、上り通信を行うか下り通信を行うかを指示するＵＬ／ＤＬ通信サブフレーム切り替え情報を生成する制御手段と、生成された前記ＵＬ／ＤＬ通信サブフレーム切り替え情報を端末装置に送信する送信手段と、を具備する構成を採る。【００３１】
本発明の一態様に係る端末装置は、割当制御情報に対する上り通信を、上りに固定された１つ以上の通信サブフレームで行うか否かを指示すると共に、下り通信サブフレームに切り替え可能な上り通信サブフレームで、上り通信を行うか下り通信を行うかを指示するＵＬ／ＤＬ通信サブフレーム切り替え情報を受信する受信手段と、受信された前記ＵＬ／ＤＬ通信サブフレーム切り替え情報の指示に従って、マッピングを行うマッピング手段と、マッピングされた信号を基地局装置に送信する送信手段と、を具備する構成を採る。【００３２】
本発明の一態様に係る送信方法は、割当制御情報に対する上り通信を、上りに固定された１つ以上の通信サブフレームで行うか否かを指示すると共に、下り通信サブフレームに切り替え可能な上り通信サブフレームで、上り通信を行うか下り通信を行うかを指示するＵＬ／ＤＬ通信サブフレーム切り替え情報を基地局装置が生成する制御工程と、生成された前記ＵＬ／ＤＬ通信サブフレーム切り替え情報を前記基地局装置から端末装置に送信する送信工程と、を具備するようにした。【００３３】
本発明の一態様に係る受信方法は、割当制御情報に対する上り通信を、上りに固定された１つ以上の通信サブフレームで行うか否かを指示すると共に、下り通信サブフレームに切り替え可能な上り通信サブフレームで、上り通信を行うか下り通信を行うかを指示するＵＬ／ＤＬ通信サブフレーム切り替え情報を基地局装置から端末装置が受信する受信工程と、受信された前記ＵＬ／ＤＬ通信サブフレーム切り替え情報の指示に従って、送信信号をマッピングするマッピング工程と、マッピングされた前記送信信号を前記端末装置から基地局装置に送信する送信工程と、を具備するようにした。
【発明の効果】
【００３４】
本発明によれば、ＳＩＢにより設定されたUL-DL Configurationとは異なるフレームフォーマットへの動的な切り替え、特に、上り通信サブフレームから下り通信サブフレームへの切り替えを可能としつつ、下り通信サブフレームを有効に活用することができる。
【図面の簡単な説明】
【００３５】
【図１】ＰＤＣＣＨをマッピングするリソース領域を規定する図
【図２】UL-DL Configurationを示す図
【図３】（ａ）はＬＴＥ−Ａシステムの概略構成を示す図、（ｂ）はトラフィックの変動に応じて、UL-DL Configurationを切り替える様子を示す図
【図４】UL-DL Configurationを動的に切り替える様子を示す図
【図５】課題の説明に供する図
【図６】本発明の一実施の形態に係る基地局の構成を示すブロック図
【図７】本発明の一実施の形態に係る端末の構成を示すブロック図
【図８】ＳＩＢで通知されるUL-DL ConfigurationがConfig 1の場合のフレームフォーマットを示す図
【図９】ＵＬ／ＤＬ通信サブフレーム切り替え情報に応じた処理手順を示すフロー図
【図１０】切り替え可能サブフレーム通知フォーマットの説明に供する図
【図１１】２ビットの「ＵＬ／ＤＬ通信サブフレーム切り替え情報」で「上り通信」または「下り通信」を指示する様子を示す図
【図１２】キャリア毎に異なるUL-DL Configurationが設定される場合において、下り通信サブフレームに切り替え可能な上り通信サブフレームの説明に供する図
【発明を実施するための形態】
【００３６】
以下、本発明の実施の形態について、図面を参照して詳細に説明する。
【００３７】
（一実施の形態）
［通信システムの概要］
本発明の一実施の形態に係る通信システムは、基地局１００と端末２００とを有する。基地局１００はＬＴＥ−Ａ基地局であり、端末２００はＬＴＥ−Ａ端末である。
【００３８】
［基地局１００の構成］
図６は、本発明の一実施の形態に係る基地局１００の構成を示すブロック図である。図６において、基地局１００は、設定部１０１と、制御部１０２と、サーチスペース設定部１０３と、ＰＤＣＣＨ生成部１０４と、符号化及び変調部１０５，１０６，１０７と、割当部１０８と、多重部１０９と、ＩＦＦＴ（Inverse Fast Fourier Transform）部１１０と、ＣＰ（Cyclic Prefix）付加部１１１と、送信ＲＦ部１１２と、アンテナ１１３と、受信ＲＦ部１１４と、ＣＰ除去部１１５と、ＦＦＴ（Fast Fourier Transform）部１１６と、抽出部１１７と、ＩＤＦＴ（Inverse Discrete Fourier transform）部１１８と、データ受信部１１９と、ＡＣＫ／ＮＡＣＫ受信部１２０とを有する。
【００３９】
設定部１０１は、端末２００向けのＤＣＩの送信に利用するリソース領域を設定すると共に、端末２００の上り回線および下り回線それぞれの送信モードを設定する。端末２００向けのＤＣＩの送信に利用するリソース領域は、そのＤＣＩが示す下り回線データサイズに応じて設定される。ここでは、下り回線データサイズは、トランスポートブロックサイズとして定義される。リソース領域の設定および送信モードの設定は、設定対象の端末２００毎に行われる。設定されたリソース領域および送信モードに関する設定情報は、サーチスペース設定部１０３および符号化及び変調部１０６へ出力される。また、設定されたリソース領域に関する設定情報は、制御部１０２へ出力される。
【００４０】
具体的には、設定部１０１は、送信領域設定部１３１と、送信モード設定部１３２とを有する。
【００４１】
送信領域設定部１３１は、端末２００向けのＤＣＩの送信に利用するＰＤＣＣＨ領域を、ＤＣＩが示す下り回線データサイズに基づいて設定する。
【００４２】
送信モード設定部１３２は、端末２００の上り回線および下り回線それぞれの送信モード（例えば、空間多重ＭＩＭＯ送信、ビームフォーミング送信、非連続帯域割当等）を設定する。
【００４３】
なお、リソース領域および送信モードに関する設定情報は、上位レイヤの制御情報（ＲＲＣ制御情報またはＲＲＣシグナリング（RRC signaling）という）として、符号化及び変調部１０６等を介して各端末２００へ通知される。
【００４４】
制御部１０２は、設定部１０１から入力されたリソース領域に関する設定情報に基づいて、ＭＣＳ情報、リソース（ＲＢ）割当情報、ＮＤＩ（New Data Indicator）、および、「ＵＬ／ＤＬ通信サブフレーム切り替え情報」等を含む割当制御情報を生成する。ここでは、リソース割当情報として、端末２００の上り回線データを割り当てる上りリソース（例えば、ＰＵＳＣＨ（Physical Uplink Shared Channel））を示す上りリソース割当情報、および、端末２００宛ての下り回線データを割り当てる下りリソース（例えば、ＰＤＳＣＨ（Physical Downlink Shared Channel））を示す下りリソース割当情報を生成する。なお、「ＵＬ／ＤＬ通信サブフレーム切り替え情報」の詳細については後述する。
【００４５】
さらに、制御部１０２は、設定部１０１から入力されたリソース領域に関する設定情報に基づいて、端末２００の上り回線の送信モードに応じた割当制御情報（ＤＣＩ  ０Ａ，０Ｂのいずれか）、下り回線の送信モードに応じた割当制御情報（ＤＣＩ  １，１Ｂ，１Ｄ，２，２Ａのいずれか）、または、全端末共通の割当制御情報（ＤＣＩ  ０／１Ａ）を、端末２００毎に生成する。
【００４６】
例えば、通常のデータ送信時には、制御部１０２は、スループット向上のために、各端末２００に設定した送信モードでデータ伝送が行えるように、各端末２００の送信モードに応じた割当制御情報（ＤＣＩ  １，１Ｂ，１Ｄ，２，２Ａ，０Ａ，０Ｂのいずれか）を生成する。これにより、各端末２００に設定した送信モードでデータ伝送が行えるので、スループットを向上することができる。
【００４７】
しかし、急激な伝搬路状況の変化または隣接セルからの干渉の変化等によっては、各端末２００に設定した送信モードでは、データの受信誤りが頻発する状況も起こり得る。この場合には、制御部１０２は、全端末に共通のフォーマット（ＤＣＩ  ０／１Ａ）で、割当制御情報を生成し、ロバスト（Robust）なデフォルト送信モードを用いてデータを送信する。これにより、急激に伝搬環境が変動した場合であっても、よりロバストなデータ伝送が可能となる。
【００４８】
また、伝搬路状況が悪化した場合に、送信モードの変更を通知するための上位レイヤの制御情報（RRC signaling）の送信時にも、制御部１０２は、全端末共通の割当制御情報（ＤＣＩ  ０／１Ａ）を生成し、デフォルト送信モードを用いて情報を送信する。ここで、全端末共通のＤＣＩ  ０／１Ａの情報ビット数は、送信モードに依存するＤＣＩ  １，２，２Ａ，０Ａ，０Ｂの情報ビット数よりも少ない。このため、同じＣＣＥ数が設定された場合、ＤＣＩ  ０／１Ａの方が、ＤＣＩ  １，２，２Ａ，０Ａ，０Ｂよりも、低い符号化率の符号化を行い、送信することができる。したがって、伝搬路状況が悪化した場合に、制御部１０２がＤＣＩ  ０／１Ａを用いることにより、伝搬路状況が劣悪な端末でも良好な誤り率で割当制御情報（および、データ）を受信することができる。
【００４９】
また、制御部１０２は、端末個別のデータ割当向けの割当制御情報の他に、報知情報およびページング（paging）情報等の複数の端末共通のデータ割当のための、共通チャネル向け割当制御情報（例えば、ＤＣＩ  １Ｃ，１Ａ）を生成する。
【００５０】
そして、制御部１０２は、生成した端末個別のデータ割当向けの割当制御情報のうち、ＭＣＳ情報、ＮＤＩおよび「ＵＬ／ＤＬ通信サブフレーム切り替え情報」をＰＤＣＣＨ生成部１０４に出力し、上りリソース割当情報をＰＤＣＣＨ生成部１０４および抽出部１１７に出力し、下りリソース割当情報をＰＤＣＣＨ生成部１０４および多重部１０９に出力する。下りリソース割当情報が多重部１０９へ出力されることにより、ＤＣＩのマッピング領域へのマッピングが制御される。また、制御部１０２は、生成した共通チャネル向け割当制御情報をＰＤＣＣＨ生成部１０４に出力する。
【００５１】
サーチスペース設定部１０３は、設定部１０１から入力される設定情報の示す設定リソース領域に対応するサーチスペース設定ルールに基づいて、サーチスペースを設定する。各サーチスペース設定ルールは、サーチスペース設定部１０３の備えるメモリに、テーブルとして保持されている。サーチスペースには、共通サーチスペース（Ｃ−ＳＳ）および個別サーチスペース（ＵＥ−ＳＳ）が含まれる。共通サーチスペース（Ｃ−ＳＳ）は、全端末に共通のサーチスペースであり、個別サーチスペース（ＵＥ−ＳＳ）は、各端末に個別のサーチスペースである。
【００５２】
ＰＤＣＣＨ生成部１０４は、制御部１０２から入力される、端末個別のデータ割当向けの割当制御情報（つまり、端末毎の上りリソース割当情報、下りリソース割当情報、ＭＣＳ情報、ＮＤＩおよび「ＵＬ／ＤＬ通信サブフレーム切り替え情報」等）を含むＤＣＩ、および、共通チャネル向け割当制御情報（つまり、端末共通の報知情報およびページング情報等）を含むＤＣＩを生成する。このとき、ＰＤＣＣＨ生成部１０４は、端末毎に生成する上り割当制御情報および下り割当制御情報に対してＣＲＣビットを付加し、さらにＣＲＣビットを端末ＩＤでマスキング（または、スクランブリング）する。そして、ＰＤＣＣＨ生成部１０４は、マスキング後の信号を符号化及び変調部１０５に出力する。
【００５３】
符号化及び変調部１０５は、ＰＤＣＣＨ生成部１０４から入力されるＤＣＩをチャネル符号化および変調して、変調後の信号を割当部１０８に出力する。ここで、符号化及び変調部１０５は、各端末から報告されるチャネル品質情報（ＣＱＩ：Channel Quality Indicator）情報に基づいて、各端末で十分な受信品質が得られるように符号化率を設定する。例えば、符号化及び変調部１０５は、セル境界付近に位置する端末ほど（つまり、チャネル品質が悪い端末ほど）、より低い符号化率を設定する。
【００５４】
割当部１０８は、符号化及び変調部１０５から入力される、共通チャネル向け割当制御情報を含むＤＣＩ、および、各端末に対する端末個別のデータ割当向けの割当制御情報を含むＤＣＩを、サーチスペース設定部１０３から入力されるサーチスペース情報が示す、Ｃ−ＳＳ内のＣＣＥ、または、端末毎のＵＥ−ＳＳ内のＣＣＥに、それぞれ割り当てる。
【００５５】
例えば、割当部１０８は、Ｃ−ＳＳ内のＤＣＩ割当領域候補群の中から１つのＤＣＩ割当領域候補を選択する。そして、割当部１０８は、共通チャネル向け割当制御情報を含むＤＣＩを、選択したＤＣＩ割当領域候補内のＣＣＥに割り当てる。
【００５６】
また、割当部１０８は、その端末向けのＤＣＩフォーマット（例えば、ＤＣＩ  １，１Ｂ，１Ｄ，２，２Ａ，０Ａ，０Ｂ）の場合には、その端末に設定されたＵＥ−ＳＳ内のＣＣＥをＤＣＩに対して割り当てる。一方、その端末向けのＤＣＩフォーマットが、全端末共通のフォーマット（例えば、ＤＣＩ  ０／１Ａ）の場合には、Ｃ−ＳＳ内のＣＣＥまたはその端末に設定されたＵＥ−ＳＳ内のＣＣＥをＤＣＩに対して割り当てる。
【００５７】
ここで、１つのＤＣＩに割り当てられるＣＣＥの連結数は、符号化率およびＤＣＩのビット数（つまり、割当制御情報の情報量）によって異なる。例えば、セル境界付近に位置する端末宛てのＤＣＩの符号化率は低く設定されるので、より多くの物理リソースが必要である。従って、割当部１０８は、セル境界付近に位置する端末宛てのＤＣＩに対して、より多くのＣＣＥを割り当てる。
【００５８】
そして、割当部１０８は、ＤＣＩに割り当てたＣＣＥに関する情報を多重部１０９およびＡＣＫ／ＮＡＣＫ受信部１２０に出力する。また、割当部１０８は、符号化および変調後のＤＣＩを多重部１０９に出力する。
【００５９】
符号化及び変調部１０６は、設定部１０１から入力される設定情報をチャネル符号化および変調して、変調後の設定情報を多重部１０９に出力する。
【００６０】
符号化及び変調部１０７は、入力される送信データ（下り回線データ）をチャネル符号化および変調して、変調後の送信データ信号を多重部１０９に出力する。
【００６１】
多重部１０９は、割当部１０８から入力される符号化および変調後のＤＣＩ信号、符号化及び変調部１０６から入力される設定情報、および符号化及び変調部１０７から入力されるデータ信号（つまり、ＰＤＳＣＨ信号）を時間軸上および周波数軸上で多重する。ここで、多重部１０９は、制御部１０２から入力される下りリソース割当情報に基づいて、ＰＤＣＣＨ信号およびデータ信号（ＰＤＳＣＨ信号）をマッピングする。多重部１０９は、多重信号をＩＦＦＴ部１１０に出力する。なお、多重部１０９は、設定情報をＰＤＳＣＨにマッピングしてもよい。
【００６２】
ＩＦＦＴ部１１０は、多重部１０９から入力されたアンテナ毎の多重信号を時間領域の信号に変換し、ＣＰ付加部１１１は、この時間領域の信号にＣＰを付加することにより、ＯＦＤＭ信号を得て、送信ＲＦ部１１２に出力する。
【００６３】
送信ＲＦ部１１２は、ＣＰ付加部１１１から入力されるＯＦＤＭ信号に対して無線送信処理（アップコンバート、ディジタルアナログ（Ｄ／Ａ）変換など）を施し、アンテナ１１３を介して送信する。
【００６４】
一方、受信ＲＦ部１１４は、アンテナ１１３を介して受信帯域で受信した受信無線信号に対して無線受信処理（ダウンコンバート、アナログディジタル（Ａ／Ｄ）変換など）を施し、得られた受信信号をＣＰ除去部１１５に出力する。
【００６５】
ＣＰ除去部１１５は、受信ＲＦ部１１４から入力された受信信号からＣＰを除去し、ＦＦＴ部１１６は、ＣＰ除去後の受信信号を周波数領域信号に変換する。
【００６６】
抽出部１１７は、制御部１０２から入力される上りリソース割当情報に基づいて、ＦＦＴ部１１６から入力される周波数領域信号から上り回線データを抽出し、抽出した上り回線データをＩＤＦＴ部１１８に出力する。
【００６７】
ＩＤＦＴ部１１８は、抽出部１１７から入力された周波数領域信号である上り回線データを時間領域信号に変換し、その時間領域信号をデータ受信部１１９およびＡＣＫ／ＮＡＣＫ受信部１２０に出力する。
【００６８】
データ受信部１１９は、ＩＤＦＴ部１１８から入力される時間領域信号を復号し、復号後の上り回線データを受信データとして出力する。
【００６９】
ＡＣＫ／ＮＡＣＫ受信部１２０は、ＩＤＦＴ部１１８から入力される時間領域信号のうち、下り回線データ（ＰＤＳＣＨ信号）に対する各端末からのＡＣＫ／ＮＡＣＫ信号を抽出する。具体的には、ＡＣＫ／ＮＡＣＫ受信部１２０は、そのＡＣＫ／ＮＡＣＫ信号を、割当部１０８から入力される情報に基づいて、上り回線制御チャネル（例えば、ＰＵＣＣＨ（Physical Uplink Control Channel））から抽出する。また、その上り回線制御チャネルは、その下り回線データに対応する下り割当制御情報の送信に用いられたＣＣＥに対応付けられた上り回線制御チャネルである。
【００７０】
そして、ＡＣＫ／ＮＡＣＫ受信部１２０は、抽出したＡＣＫ／ＮＡＣＫ信号のＡＣＫ／ＮＡＣＫ判定を行う。
【００７１】
なお、ここでは、ＣＣＥとＰＵＣＣＨとが対応付けられているのは、端末がＡＣＫ／ＮＡＣＫ信号の送信に用いるＰＵＣＣＨを、基地局から各端末へ通知するためのシグナリングを不要にするためである。これにより、下り回線の通信リソースを効率良く使用することができる。従って、各端末は、この対応付けに従って、自端末への下り割当制御情報（ＤＣＩ）がマッピングされているＣＣＥに基づいて、ＡＣＫ／ＮＡＣＫ信号の送信に用いるＰＵＣＣＨを判定している。
【００７２】
［端末２００の構成］
図７は、本発明の一実施の形態に係る端末２００の構成を示すブロック図である。ここでは、端末２００は、ＬＴＥ−Ａ端末である。
【００７３】
図７において、端末２００は、アンテナ２０１と、受信ＲＦ部２０２と、ＣＰ除去部２０３と、ＦＦＴ部２０４と、分離部２０５と、設定情報受信部２０６と、ＰＤＣＣＨ受信部２０７と、ＰＤＳＣＨ受信部２０８と、変調部２０９，２１０と、ＤＦＴ（Discrete Fourier Transform）部２１１と、マッピング部２１２と、ＩＦＦＴ部２１３と、ＣＰ付加部２１４と、送信ＲＦ部２１５とを有する。
【００７４】
受信ＲＦ部２０２は、設定情報受信部２０６から入力される帯域情報に基づいて、受信帯域を設定する。受信ＲＦ部２０２は、アンテナ２０１を介して受信帯域で受信した無線信号（ここでは、ＯＦＤＭ信号）に対して無線受信処理（ダウンコンバート、アナログディジタル（Ａ／Ｄ）変換など）を施し、得られた受信信号をＣＰ除去部２０３に出力する。なお、受信信号には、ＰＤＳＣＨ信号、ＤＣＩ（割当制御情報）、および、設定情報を含む上位レイヤの制御情報が含まれている可能性がある。また、ＤＣＩは、端末２００および他の端末に対して設定された共通のサーチスペース（Ｃ−ＳＳ）、または、端末２００に対して設定された個別のサーチスペース（ＵＥ−ＳＳ）に割り当てられている。
【００７５】
ＣＰ除去部２０３は、受信ＲＦ部２０２から入力される受信信号からＣＰを除去し、ＦＦＴ部２０４は、ＣＰ除去後の受信信号を周波数領域信号に変換する。この周波数領域信号は、分離部２０５に出力される。
【００７６】
分離部２０５は、ＦＦＴ部２０４から入力される信号のうち、ＤＣＩを含む可能性のある成分（つまり、ＰＤＣＣＨ領域から抜き出された信号）をＰＤＣＣＨ受信部２０７に出力する。また、分離部２０５は、設定情報を含む上位レイヤの制御信号（例えば、ＲＲＣシグナリング等）を設定情報受信部２０６に出力し、データ信号（つまり、ＰＤＳＣＨ信号）をＰＤＳＣＨ受信部２０８に出力する。なお、設定情報を含む上位レイヤの制御信号がＰＤＳＣＨを通して送信される場合には、分離部２０５は、ＰＤＳＣＨ受信部２０８で受信した後の信号から、設定情報を抽出する。
【００７７】
設定情報受信部２０６は、分離部２０５から入力される上位レイヤの制御信号から、以下の情報を読み取る。すなわち、自端末に設定された端末ＩＤを示す情報、自端末に設定された、ＤＣＩの送信に利用するリソース領域を示す情報、自端末に設定された参照信号を示す情報、および自端末に設定された送信モードを示す情報である。
【００７８】
そして、自端末に設定された端末ＩＤを示す情報は、端末ＩＤ情報としてＰＤＣＣＨ受信部２０７に出力される。また、ＤＣＩの送信に利用するリソース領域を示す情報は、サーチスペース領域情報としてＰＤＣＣＨ受信部２０７に出力される。また、自端末に設定された参照信号を示す情報は、参照信号情報としてＰＤＣＣＨ受信部２０７に出力される。また、自端末に設定された送信モードを示す情報は、送信モード情報としてＰＤＣＣＨ受信部２０７に出力される。
【００７９】
ＰＤＣＣＨ受信部２０７は、分離部２０５から入力される信号をブラインド復号（モニタ）して、自端末宛てのＤＣＩを得る。このブラインド復号処理は、サーチスペース設定ルールに規定されている復号対象単位領域候補（復号の対象となる単位領域の候補）に対して行われる。各サーチスペース設定ルールは、ＰＤＣＣＨ受信部２０７の備えるメモリにテーブルとして保持されている。ここで、ＰＤＣＣＨ受信部２０７は、全端末共通のデータ割当向けのＤＣＩフォーマット（例えば、ＤＣＩ  ０／１Ａ）、自端末に設定された送信モード依存のＤＣＩフォーマット（例えば、ＤＣＩ  １，２，２Ａ，０Ａ，０Ｂ）および全端末共通の共通チャネル割当向けのＤＣＩフォーマット（例えば、ＤＣＩ  １Ｃ，１Ａ）のそれぞれに対して、ブラインド復号する。これにより、各ＤＣＩフォーマットの割当制御情報を含むＤＣＩが得られる。
【００８０】
ＰＤＣＣＨ受信部２０７は、設定情報受信部２０６から入力されるサーチスペース領域情報の示す領域がＰＤＣＣＨ領域である場合には、サーチスペース設定ルールに基づいて、Ｃ−ＳＳに対して、共通チャネル割当向けのＤＣＩフォーマット（ＤＣＩ  １Ｃ，１Ａ）および全端末共通のデータ割当向けＤＣＩフォーマット（ＤＣＩ  ０／１Ａ）のブラインド復号を行う。すなわち、ＰＤＣＣＨ受信部２０７は、Ｃ−ＳＳ内の各復号対象単位領域候補（つまり、端末２００に割り当てられるＣＣＥ領域の候補）について、共通チャネル割当向けのＤＣＩフォーマットのサイズ、および、全端末共通のデータ割当向けのＤＣＩフォーマットのサイズを対象として、復調および復号を行う。
【００８１】
ＰＤＣＣＨ受信部２０７は、復号後の信号に対して、複数の端末の間で共通のＩＤによってＣＲＣビットをデマスキングする。そして、ＰＤＣＣＨ受信部２０７は、デマスキングの結果、ＣＲＣ＝ＯＫ（誤り無し）となった信号を、共通チャネル向けの割当制御情報を含むＤＣＩであると判定する。
【００８２】
また、ＰＤＣＣＨ受信部２０７は、復号後の信号に対して、端末ＩＤ情報が示す自端末の端末ＩＤによってＣＲＣビットをデマスキングする。そして、ＰＤＣＣＨ受信部２０７は、デマスキングの結果、ＣＲＣ＝ＯＫ（誤り無し）となった信号を、自端末向けの割当制御情報を含むＤＣＩであると判定する。すなわち、ＰＤＣＣＨ受信部２０７は、Ｃ−ＳＳでは、端末ＩＤ（複数の端末の間で共通のＩＤ、または、端末２００の端末ＩＤ）によって、ＤＣＩ  ０／１Ａの割当制御情報が共通チャネル向けであるかまたは自端末向けのデータ割当向けであるかを区別する。
【００８３】
ＰＤＣＣＨ受信部２０７は、設定情報受信部２０６から入力される端末ＩＤ情報の示す自端末の端末ＩＤを用いて、自端末のＵＥ−ＳＳを、各ＣＣＥ連結数に対してそれぞれ算出する。ＰＤＣＣＨ受信部２０７は、算出したＵＥ−ＳＳ内の各ブラインド復号領域候補について、自端末に設定された送信モード（送信モード情報に示される送信モード）に対応したＤＣＩフォーマットのサイズおよび全端末共通のＤＣＩフォーマット（ＤＣＩ  ０／１Ａ）のサイズを対象として、復調および復号を行う。ＰＤＣＣＨ受信部２０７は、復号後の信号に対して、自端末の端末ＩＤでＣＲＣビットをデマスキングする。ＰＤＣＣＨ受信部２０７は、デマスキングの結果、ＣＲＣ＝ＯＫ（誤り無し）となった信号を、自端末宛てのＤＣＩであると判定する。
【００８４】
また、ＰＤＣＣＨ受信部２０７は、下り割当制御情報を受信した場合には、自端末宛てのＤＣＩに含まれる下りリソース割当情報をＰＤＳＣＨ受信部２０８に出力し、上り割当制御情報を受信した場合には、上りリソース割当情報をマッピング部２１２に出力する。また、ＰＤＣＣＨ受信部２０７は、自端末宛てのＤＣＩの送信に用いられたＣＣＥ（ＣＲＣ＝ＯＫとなった信号の送信に用いられていたＣＣＥ）のＣＣＥ番号（ＣＣＥ連結数が複数の場合は先頭のＣＣＥのＣＣＥ番号）をマッピング部２１２に出力する。
【００８５】
さらに、ＰＤＣＣＨ受信部２０７は、自端末宛てのＤＣＩに含まれる「ＵＬ／ＤＬ通信サブフレーム切り替え情報」をマッピング部２１２に出力する。「ＵＬ／ＤＬ通信サブフレーム切り替え情報」の詳細については後述する。
【００８６】
ＰＤＳＣＨ受信部２０８は、ＰＤＣＣＨ受信部２０７から入力される下りリソース割当情報に基づいて、分離部２０５から入力されるＰＤＳＣＨ信号を復号し、受信データ（下り回線データ）を得る。すなわち、ＰＤＳＣＨ受信部２０８は、復号回路を有している。また、ＰＤＳＣＨ受信部２０８は、取得した受信データ（下り回線データ）に対して誤り検出を行う。ＰＤＳＣＨ受信部２０８は、誤り検出の結果、受信データに誤りがある場合には、ＡＣＫ／ＮＡＣＫ信号としてＮＡＣＫ信号を生成し、受信データに誤りが無い場合には、ＡＣＫ／ＮＡＣＫ信号としてＡＣＫ信号を生成する。このＡＣＫ／ＮＡＣＫ信号は、変調部２０９に出力される。
【００８７】
変調部２０９は、ＰＤＳＣＨ受信部２０８から入力されるＡＣＫ／ＮＡＣＫ信号を変調し、変調後のＡＣＫ／ＮＡＣＫ信号をマッピング部２１２に出力する。
【００８８】
変調部２１０は、送信データ（上り回線データ）を変調し、変調後のデータ信号をＤＦＴ部２１１に出力する。
【００８９】
ＤＦＴ部２１１は、変調部２１０から入力されるデータ信号を周波数領域に変換し、得られる複数の周波数成分をマッピング部２１２に出力する。
【００９０】
マッピング部２１２は、ＰＤＣＣＨ受信部２０７から入力される上りリソース割当情報および「ＵＬ／ＤＬ通信サブフレーム切り替え情報」に従って、ＤＦＴ部２１１から入力される複数の周波数成分を、上り単位キャリアに配置されたＰＵＳＣＨにマッピングする。また、マッピング部２１２は、ＰＤＣＣＨ受信部２０７から入力されるＣＣＥ番号および「ＵＬ／ＤＬ通信サブフレーム切り替え情報」に従ってＰＵＣＣＨを特定する。マッピング部２１２は、変調部２０９から入力されるＡＣＫ／ＮＡＣＫ信号を、上記特定したＰＵＣＣＨにマッピングする。ＰＵＳＣＨにマッピングされた複数の周波数成分およびＰＵＣＣＨにマッピングされたＡＣＫ／ＮＡＣＫ信号は、ＩＦＦＴ部２１３に出力される。
【００９１】
ＩＦＦＴ部２１３は、ＰＵＳＣＨにマッピングされた複数の周波数成分およびＰＵＣＣＨにマッピングされたＡＣＫ／ＮＡＣＫ信号を時間領域の信号に変換し、ＣＰ付加部２１４は、この時間領域波の信号にＣＰを付加して、送信ＲＦ部２１５に出力する。
【００９２】
送信ＲＦ部２１５は、送信帯域を変更可能に構成されており、設定情報受信部２０６から入力される帯域情報に基づいて、送信帯域を設定する。送信ＲＦ部２１５は、ＣＰ付加部２１４から入力される信号に無線送信処理（アップコンバート、ディジタルアナログ（Ｄ／Ａ）変換など）を施して、アンテナ２０１を介して送信する。
【００９３】
［基地局１００および端末２００の動作］
次に、以上の構成を有する基地局１００および端末２００の動作について説明する。
【００９４】
基地局１００において、制御部１０２は、下り割当制御情報（DL assignment）および上り割当制御情報（UL grant）に「ＵＬ／ＤＬ通信サブフレーム切り替え情報」を付加する。「ＵＬ／ＤＬ通信サブフレーム切り替え情報」は、DL assignmentにより指示される下り回線データに対する誤り検出結果、および、UL grantにより指示される上り回線データを、予め規定された複数の上り通信サブフレームのうち、どのサブフレームで送信すべきかを端末２００に指示する情報である。
【００９５】
端末２００において、ＰＤＣＣＨ受信部２０７は、自端末宛てのＤＣＩに含まれる「ＵＬ／ＤＬ通信サブフレーム切り替え情報」から、ブラインド復号を行うサブフレームを決定する。また、ＰＤＣＣＨ受信部２０７は、「ＵＬ／ＤＬ通信サブフレーム切り替え情報」をマッピング部２１２に出力する。マッピング部２１２は、「ＵＬ／ＤＬ通信サブフレーム切り替え情報」に従って、下り回線データに対する誤り検出結果、および、上り回線データを、どの上り通信サブフレームにマッピングするかを決定する。
【００９６】
［端末における処理の流れ］
以下、図８、図９を用いて、「ＵＬ／ＤＬ通信サブフレーム切り替え情報」に対する端末における処理について詳述する。図８の例は、ＳＩＢで通知されるUL-DL ConfigurationがConfig 1の場合のフレームフォーマットを示す。図８において、サブフレーム＃８、＃１３を「切り替え可能なサブフレーム」であるとする。また、サブフレーム＃４の下り通信サブフレームに対応する、下り回線データに対する誤り検出結果および上り回線データは、切り替え可能なサブフレームであるサブフレーム＃８、または、上りに固定された通信サブフレーム（下り通信サブフレームに切り替え不可能な上り通信サブフレーム）であるサブフレーム＃１２で通知されるよう、基地局および端末の間で予め規定されている。
【００９７】
ここで、切り替え可能なサブフレームは、基地局と端末間で事前に共通の設定がなされており、その設定はＲＲＣシグナリングにより行われてもよいし、ＳＩＢの通知により行われてもよい。
【００９８】
なお、切り替え可能なサブフレームは、予め設定されなくてもよい。ただし、このとき端末は、スペシャルサブフレーム後の上り通信サブフレーム以外の全てのサブフレームが、切り替え可能であると仮定する。これにより、端末におけるブラインド復号の回数は増加するが、設定のためのシグナリングが不要となり、簡略化できるという効果がある。
【００９９】
なお、以降では、上り通信サブフレームを下り通信サブフレームに切り替える場合を例にとって説明する。下り通信サブフレームを上り通信サブフレームに切り替える場合も同様であるため、この説明は割愛する。
【０１００】
図９は、端末における処理フローを示す。以降、端末が、DL assignmentおよびUL grantで通知される「ＵＬ／ＤＬ通信サブフレーム切り替え情報」を受信した場合、および、「ＵＬ／ＤＬ通信サブフレーム切り替え情報」を受信しなかった（つまり、DL assignmentおよびUL grantを共に受信しなかった）場合について、図９を用いてそれぞれ詳述する。また、端末が「ＵＬ／ＤＬ通信サブフレーム切り替え情報」を受信した場合に、受信した「ＵＬ／ＤＬ通信サブフレーム切り替え情報」が「上り通信」を指示した場合、および「下り通信」を指示した場合についても、図９を用いてそれぞれ詳述する。図９において、ステップ（以下、「ＳＴ」と省略する）３０１では、端末２００は「ＵＬ／ＤＬ通信サブフレーム切り替え情報」を受信したか否かを判定する。受信したと判定した場合には、ＳＴ３０２に移行し、受信していない場合には、ＳＴ３０７に移行する。
【０１０１】
ＳＴ３０２では、端末２００は、受信した「ＵＬ／ＤＬ通信サブフレーム切り替え情報」（例えば１ビットの情報）が上り通信を指示しているか否かを判定する。上り通信を指示している場合には、ＳＴ３０３に移行し、上り通信を指示していない、つまり、下り通信を指示している場合には、ＳＴ３０５に移行する。
【０１０２】
［上り通信の指示］
ＳＴ３０３では、端末２００は、下り通信サブフレームに切り替え可能な上り通信サブフレームを上り通信サブフレームであると判定する。図８の例では、サブフレーム＃４の下り通信サブフレームにおいて、「ＵＬ／ＤＬ通信サブフレーム切り替え情報」が「上り通信」を指示している場合、端末２００は、下り通信サブフレームに切り替え可能な上り通信サブフレームであるサブフレーム＃８を上り通信サブフレームであると判定する。
【０１０３】
ＳＴ３０４では、当該サブフレームで下り回線データに対する誤り検出結果、および、上り回線データを送信する。
【０１０４】
［下り通信の指示］
ＳＴ３０５では、端末２００は、下り通信サブフレームに切り替え可能な上り通信サブフレームを下り通信サブフレームであると判定する。図８の例では、サブフレーム＃４の下り通信サブフレームにおいて、「ＵＬ／ＤＬ通信サブフレーム切り替え情報」が「下り通信」を指示している場合、端末２００は、下り通信サブフレームに切り替え可能な上り通信サブフレームであるサブフレーム＃８を下り通信サブフレームであると判定する。当該サブフレームにおいて、自端末宛のＤＣＩを検出するために、ＰＤＣＣＨをブラインド復号する。また、このとき、端末２００は、上りに固定された通信サブフレームであるサブフレーム＃１２で、下り回線データに対する誤り検出結果、および、上り回線データを送信する。
【０１０５】
ＳＴ３０６では、端末２００が下り通信サブフレームと判定したサブフレーム（図８の例ではサブフレーム＃８）において、自端末宛のＤＣＩを検出した場合、そのＤＣＩ（つまり、DL assignmentおよびUL grant）に対応する下り回線データの誤り検出結果、および、上り回線データを、４サブフレーム以上後であり、かつ、最も早い、上りに固定された通信サブフレーム（つまり、切り替え可能ではない上り通信サブフレーム。図８の例ではサブフレーム＃１２）で送信する。すなわち、ここでは、下り通信サブフレームに切り替えられたサブフレーム＃８に対応する上り通信サブフレーム＃１２を新たに規定している。
【０１０６】
このように、サブフレーム＃４の下り通信サブフレームにおける端末宛のＤＣＩにおいて、「ＵＬ／ＤＬ通信サブフレーム切り替え情報」が「下り通信」を指示している場合、基地局１００は、当該端末２００に対して、サブフレーム＃８の下り通信サブフレームにおいて受信動作（ブラインド復号）を指示する。加えて、基地局１００は、当該端末２００に対して、サブフレーム＃４で当該端末２００が受信した下り回線データに対する誤り検出結果、および、サブフレーム＃４で当該端末２００が受信した上り割当制御信号に対する上り回線データを、サブフレーム＃１２の上り通信サブフレームで送信するよう指示する。すなわち、ここでは、サブフレーム＃４に対応する上り通信サブフレームをサブフレーム＃１２に切り替えている。この方法により、基地局１００は１つの情報で端末２００に対して同時に２つの指示を行えるため、端末２００に通知する情報ビット数を削減することができ、制御情報を効果的に通知することができる。
【０１０７】
なお、上記のサブフレーム＃４に対応する上り通信サブフレームを切り替えること、および、下り通信サブフレームに切り替えられているサブフレーム＃８に対応する上り通信サブフレームを新たに規定することにより、その上り通信サブフレーム（図８の例ではともにサブフレーム＃１２）において、複数の下り回線データに対する誤り検出結果が存在する場合がある。この場合、複数ビット間でバンドリング（ロジカルＡＮＤ処理）を行ってもよいし、バンドリングを行わずに、全ての誤り検出結果を送信してもよい。同様に、ある上り通信サブフレームにおいて、複数の上り回線データが存在する場合は、いずれか１つの上り回線データを送信するよう、基地局１００と端末２００間で予め定められていてもよいし、全ての上り回線データを送信してもよい。基地局１００は端末２００に対して、複数の上り回線データを送信しないようにスケジューリングしてもよい。
【０１０８】
［ＵＬ／ＤＬ通信の指示なし］
【特許文献１】端末２００がＤＣＩの受信に失敗した場合、また、基地局１００自体が端末２００に対してＤＣＩを通知しない場合には、端末２００は、「ＵＬ／ＤＬ通信サブフレーム切り替え情報」を得ることができない。この場合、端末２００は、ＳＴ３０７において、下り通信サブフレームに切り替え可能な上り通信サブフレームで上り通信があるか、または、上り送信周期であるかを判定する。この条件に該当する場合には、ＳＴ３０３に移行し、この条件に該当しない場合には、ＳＴ３０８に移行する。
【０１０９】
ＳＴ３０８において、端末２００は、下り通信サブフレームに切り替え可能な上り通信サブフレームを、下り通信サブフレームであると推定して、当該サブフレームにおいて、自端末宛のＤＣＩを検出するために、ＰＤＣＣＨをブラインド復号する。その後、上述したＳＴ３０６に移行する。
【０１１０】
ここで、ＳＴ３０７の条件について説明する。端末２００は、基地局１００により予め設定された送信周期で、上りリソースの割当要求を行うスケジューリングリクエスト（Scheduling Request）の送信と、周期的なチャネル品質情報（周期的ＣＱＩ（periodic CQI））の送信を行うことができる。また、端末２００は、上り割当制御情報を伴わない上り回線データ送信（セミパーシステントスケジューリング（Semi-Persistent Scheduling））を行うことができる。さらに、ＨＡＲＱインジケータチャネル（ＰＨＩＣＨ：Physical HARQ Indicator Channel）を用いて、端末２００が送信した上り回線データに対する誤り検出結果としてＮＡＣＫが端末２００に通知された場合は、上り割当制御情報を伴わずに上り回線データを再送することができる。このような場合、端末２００は、自端末宛のＤＣＩの受信がなくとも、上り通信を行う可能性があるため、そのようなサブフレームにおいては、常に上り通信サブフレームと判定して上り送信を行う。
【０１１１】
なお、スケジューリングリクエストと周期的ＣＱＩについては、送信の有無によってではなく、送信周期であるか否かによって、端末２００は、下り通信サブフレームに切り替え可能な上り通信サブフレームを上り通信サブフレームであると判定するか、下り通信サブフレームであると推定する。
【０１１２】
［下り通信サブフレームに切り替え可能な上り通信サブフレームの詳細］
下り通信サブフレームに切り替え可能な上り通信サブフレームは、ＳＩＢで通知されるUL-DL Configurationと、他のUL-DL Configuration（以下、「切り替え可能サブフレーム通知フォーマット」という）との組み合わせによって通知することができる。
【０１１３】
切り替え可能サブフレーム通知フォーマットは、図１０（ａ）に示すように、下り通信サブフレームに切り替え可能な上り通信サブフレームのタイミングが、ＳＩＢで通知されるUL-DL Configurationにより規定される上り通信サブフレームタイミングのサブセット（包含関係）になっている。この場合、基地局が端末に通知する切り替え可能サブフレーム通知フォーマットは、Config 0〜Config 6で表現され、ＳＩＢで通知されるUL-DL Configurationにおいて「Ｕ」のうち、切り替え可能サブフレーム通知フォーマットにおいて「Ｄ」に対応するサブフレームが、下り通信サブフレームに切り替え可能な上り通信サブフレームとなる。
【０１１４】
図１０（ｂ）の場合、ＳＩＢで通知されるUL-DL ConfigurationをConfig 1としており、このとき、切り替え可能サブフレーム通知フォーマットは、Config 1, 2, 4または5の中から選択される。例えば、切り替え可能サブフレーム通知フォーマットとしてConfig 2が選択された場合、下り通信サブフレームに切り替え可能な上り通信サブフレームは、サブフレーム＃３，＃８と特定される。
【０１１５】
ただし、切り替え可能サブフレーム通知フォーマットは、上記のConfig 0〜Config 6に限定されず、１フレーム内に少なくとも１サブフレームが上りに固定された通信サブフレーム（つまり、下り通信サブフレームに切り替え不可能な上り通信サブフレーム）となるように設定されていればよい。
【０１１６】
また、前述の通り、下り通信サブフレームにおける、ＤＣＩに含まれる「ＵＬ／ＤＬ通信サブフレーム切り替え情報」が「下り通信」を指示している場合に、下り通信サブフレームに切り替え可能な上り通信サブフレームで送信するはずであったデータ（つまり、下り回線データに対する誤り検出結果または上り回線データ）は、上りに固定された通信サブフレームで通知される。このとき、当該下り通信サブフレームに切り替え可能な上り通信サブフレームでないサブフレーム（つまり、上記における送信されなかった下り回線データに対する誤り検出結果または上り回線データを通知するためのサブフレーム）は、上りに固定された通信サブフレームの中で、最も早いタイミングの通信サブフレームであってもよい。切り替え可能サブフレーム通知フォーマットが、図１０に示すようにConfig 0〜6で表現される場合は、スペシャルサブフレームの次の上りに固定された通信サブフレームであってもよい（ただし、下り通信サブフレームの４サブフレーム以上後であること）。
【０１１７】
また、切り替え可能サブフレーム通知フォーマットが、図１０に示すようにConfig 0〜6で表現される場合において、下り通信サブフレームに切り替え可能な上り通信サブフレームに対して、「ＵＬ／ＤＬ通信サブフレーム切り替え情報」により「下り通信」が指示された場合、または、指示されない場合に、当該サブフレームで端末が受信するＤＣＩに対応する上り送信を行う上り通信サブフレームは、スペシャルサブフレームの次の上りに固定された通信サブフレームであってもよい（ただし、下り通信サブフレームの４サブフレーム以上後であること）。
【０１１８】
または、切り替え可能サブフレーム通知フォーマットが、図１０に示すようにConfig 0〜6で表現される場合において、下り通信サブフレームに切り替え可能な上り通信サブフレームに対して、「ＵＬ／ＤＬ通信サブフレーム切り替え情報」により「下り通信」が指示された場合、または、指示されない場合に、当該サブフレームで端末が受信するＤＣＩに対応する上り送信を行う上り通信サブフレームは、切り替え可能サブフレーム通知フォーマットをＳＩＢで通知されるUL-DL Configurationと見立てたときのUL-DL Configurationに対応する上り通信サブフレームであってもよい。すなわち、例えば、ＳＩＢで通知されるUL-DL ConfigurationがConfig 0であり、切り替え可能サブフレーム通知フォーマットが、Config 6である場合、図１０（ｂ）から、切り替え可能なサブフレームはサブフレーム＃９である。当該サブフレームにおいて端末が受信するＤＣＩに対応する上り送信を行う上り通信サブフレームは、図２のConfig 6に示す、次のフレームのサブフレーム＃４とする。これにより、下り通信サブフレームに切り替え可能な上り通信サブフレームにおいて、端末がＤＣＩを受信する場合における、当該ＤＣＩに対応する上り送信を行うタイミングを、図２のConfig 0〜6で予め規定された送信タイミング以外に新たに規定する必要がなくなり、基地局および端末における構成を簡略化することができる。
【０１１９】
なお、図１０において、ＳＩＢで通知されるUL-DL ConfigurationがConfig 1である場合、切り替え可能サブフレーム通知フォーマットが、Config 0, 1または6から選択されると、当該切り替え可能サブフレーム通知フォーマットが、ＳＩＢで通知されるUL-DL Configurationにより規定される下り通信サブフレームタイミングのサブセットになる。したがって、このとき、当該切り替え可能サブフレーム通知フォーマットは、「上り通信サブフレームに切り替え可能な下り通信サブフレーム」の通知に用いることができる。すなわち、２つのUL-DL Configurationの組合せによって、「下り通信サブフレームに切り替え可能な上り通信サブフレーム」を表現することも、「上り通信サブフレームに切り替え可能な下り通信サブフレーム」を表現することもできる。
【０１２０】
下り通信サブフレームを上り通信サブフレームに切り替える場合は、切り替え可能サブフレーム通知フォーマットは、常にＳＩＢで通知されるUL-DL Configuration（図１０の例ではConfig 1）により規定される上り通信サブフレームタイミングのサブセットになるUL-DL Configuration（図１０の例ではConfig 1, 2, 4または5）のいずれかに設定される。一方、上り通信サブフレームを下り通信サブフレームに切り替える場合は、切り替え可能サブフレーム通知フォーマットは、常にＳＩＢで通知されるUL-DL Configurationにより規定される下り通信サブフレームタイミングのサブセットになるUL-DL Configuration（図１０の例ではConfig 0, 1または6）のいずれかに設定される。そして、「下り通信サブフレームに切り替え可能な上り通信サブフレーム」と「上り通信サブフレームに切り替え可能な下り通信サブフレーム」とを同時に含むUL-DL Configurationの組合せ（Config 1と3、Config 2と3、および、Config 2と4）は設定されない。
【０１２１】
［「ＵＬ／ＤＬ通信サブフレーム切り替え情報」の詳細］
上記の説明では、下り通信サブフレームに切り替え可能な上り通信サブフレームに対応する、下り通信サブフレームにおける下り割当制御情報および上り割当制御情報が「ＵＬ／ＤＬ通信サブフレーム切り替え情報」を含むとした。しかし、上りに固定された通信サブフレームに対応する、下り通信サブフレームにおける下り割当制御情報および上り割当制御情報が「ＵＬ／ＤＬ通信サブフレーム切り替え情報」を含んでもよい。この場合、上りに固定された通信サブフレームに対する割当制御情報に対しても、ＤＣＩのビット数が増えてしまうため、ＤＣＩ符号化率が増加する。一方で、ＤＣＩサイズが下り通信サブフレームに切り替え可能な上り通信サブフレームに依存しなくなる。これにより、基地局と端末間で下り通信サブフレームに切り替え可能な上り通信サブフレームの設定を変更する際に、変更の過渡状態（例えば、基地局と端末間の接続が安定していない状態など）における基地局と端末間における下り通信サブフレームに切り替え可能な上り通信サブフレームの認識の不整合が発生する期間（ambiguity period）においても、端末は正しいＤＣＩサイズでＰＤＣＣＨをブラインド復号できるという効果がある。
【０１２２】
端末が下り割当制御情報および上り割当制御情報を受信する下り通信サブフレームが同じでも、下り回線データに対する誤り検出結果を送信する上り通信サブフレームと上り回線データを送信する上り通信サブフレームとが異なる場合がある。例えば、図２において、Config 3は、サブフレーム＃８で受信した下り割当制御情報および上り割当制御情報に対して、下り回線データに対する誤り検出結果をサブフレーム＃１３で送信し、上り回線データをサブフレーム＃１２で送信する。このとき、上り回線データを送信するサブフレーム＃１２が、上りに固定された通信サブフレームであり、下り回線データに対する誤り検出結果を送信するサブフレーム＃１３が、下り通信サブフレームに切り替え可能な上り通信サブフレームであるとする。このとき、基地局は、上りに固定された通信サブフレームで送信する上り回線データに対応する、上り割当制御情報に対しても、「ＵＬ／ＤＬ通信サブフレーム切り替え情報」を通知してもよい。このとき、上りに固定された通信サブフレームに対する割当制御情報に対しても、ＤＣＩのビット数が増えてしまうため、ＤＣＩ符号化率が増加する。一方で、下り割当制御情報および上り割当制御情報とで同じＤＣＩサイズにすることができ、端末におけるブラインド復号回数を削減することができる。
【０１２３】
「ＵＬ／ＤＬ通信サブフレーム切り替え情報」は必ずしも１ビットの情報である必要はなく、また、「ＵＬ／ＤＬ通信サブフレーム切り替え情報」が指示する下り通信サブフレームと上り通信サブフレームは必ずしも常に１つずつである必要もない。例えば、２ビットの「ＵＬ／ＤＬ通信サブフレーム切り替え情報」とすることにより、図１１に示すように、サブフレーム＃４、＃７、＃８がそれぞれ上り通信サブフレームであるのか下り通信サブフレームであるのかを指示することもできる。図１１（ａ）では、サブフレーム＃０において、サブフレーム＃４に対して「上り通信」を指示しており、図１１（ｂ）では、サブフレーム＃０において、サブフレーム＃４に対して「下り通信」を、サブフレーム＃７に対して「上り通信」を指示している。また、図１１（ｃ）では、サブフレーム＃０において、サブフレーム＃４に対して「下り通信」を、サブフレーム＃８に対して「上り通信」を指示している。さらに、図１１（ｄ）では、サブフレーム＃０において、サブフレーム＃４に対して「下り通信」を、サブフレーム＃７および＃８に対して「上り通信」を指示している。
【０１２４】
また、「ＵＬ／ＤＬ通信サブフレーム切り替え情報」は、上り通信インデックスのように、複数の上り通信サブフレームにおける上り通信を指示することもできる。要は、１ビット以上の「ＵＬ／ＤＬ通信サブフレーム切り替え情報」により、２つ以上のサブフレームに対して、上り通信サブフレームとして用いるか、下り通信サブフレームとして用いるかを指示することができる。
【０１２５】
以上のように、本実施の形態によれば、基地局から端末に下り通信サブフレームで通知するＤＣＩに含まれる「ＵＬ／ＤＬ通信サブフレーム切り替え情報」によって、１つ以上の上りに固定された通信サブフレームでＤＣＩに対する上り通信を行うか否かを指示すると共に、下り通信サブフレームに切り替え可能な上り通信サブフレームで、端末に上り通信を行うか下り通信を行うかを指示することができる。これにより、サブフレーム毎の動的な切り替え、つまり、上り通信サブフレームから下り通信サブフレームへの切り替えを可能にしつつ、下り通信サブフレームに切り替え可能な上り通信サブフレームにおける端末からの上り送信に対する、割当制御情報を通知する下り通信サブフレームを有効に利用することができる。また、基地局は１つの「ＵＬ／ＤＬ通信サブフレーム切り替え情報」で端末に対して２つの指示を同時に行えるため、端末に通知する情報ビット数を削減することができ、制御情報を効果的に通知することができる。
【０１２６】
なお、本実施の形態は、キャリアアグリゲーション（Carrier Aggregation : CA）が適用されない場合を例として説明したが、本発明はこれに限定されず、図１２に示すように、キャリア毎に異なるUL-DL Configurationが設定される場合においても適用可能である。一方のキャリア（周波数バンド）で上り通信サブフレーム、他方のキャリア（周波数バンド）で下り通信サブフレームとなるタイミングにおける、上り通信サブフレーム（図１２の例ではバンドＡのサブフレーム＃３、＃８および＃１３）を、下り通信サブフレームに切り替え可能な上り通信サブフレームであるとしてもよい。要は、本発明は、ＳＩＢで通知されたUL-DL Configurationで指示される上り通信サブフレームを、動的に下り通信サブフレームとして使う場合に適用可能である。
【０１２７】
また、上記実施の形態の説明で用いた各機能ブロックは、コンピュータがプログラムを実行することで機能するソフトウェア、または、ソフトウェアとハードウェアとの連携により実現することも可能である。
【０１２８】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１２９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）、または、ＬＳＩ内部の回路セルの接続および設定を再構成可能なリコンフィギュラブル・プロセッサを利用してもよい。
【０１３０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１３１】
２０１１年１１月７日出願の特願２０１１−２４３３５３の日本出願に含まれる明細書、図面および要約書の開示内容は、すべて本願に援用される。
【産業上の利用可能性】
【０１３２】
本発明は、移動通信システム等に有用である。
【符号の説明】
【０１３３】
１０１  設定部
１０２  制御部
１０３  サーチスペース設定部
１０４  ＰＤＣＣＨ生成部
１０５、１０６、１０７  符号化及び変調部
１０８  割当部
１０９  多重部
１１０、２１３  ＩＦＦＴ部
１１１、２１４  ＣＰ付加部
１１２、２１５  送信ＲＦ部
１１３、２０１  アンテナ
１１４、２０２  受信ＲＦ部
１１５、２０３  ＣＰ除去部
１１６、２０４  ＦＦＴ部
１１７  抽出部
１１８  ＩＤＦＴ部
１１９  データ受信部
１２０  ＡＣＫ／ＮＡＣＫ受信部
１３１  送信領域設定部
１３２  送信モード設定部
２０５  分離部
２０６  設定情報受信部
２０７  ＰＤＣＣＨ受信部
２０８  ＰＤＳＣＨ受信部
２０９、２１０  変調部
２１１  ＤＦＴ部
２１２  マッピング部
【図４】
0006000275.tif 000002
【図５】
0006000275.tif 000003
【図６】
0006000275.tif 000004
【図７】
0006000275.tif 000005
【図９】
0006000275.tif 000006
【図１】
0006000275.tif 000007
【図２】
0006000275.tif 000008
【図３】
0006000275.tif 000009
【図８】
0006000275.tif 000010
【図１０】
0006000275.tif 000011
【図１１】
0006000275.tif 000012
【図１２】
0006000275.tif 000013